(57)【要約】【課題】活動性と高機能性を有する運動用パンツ型サポーターを得る。【解決手段】前面部が織物地２と伸縮性織物地３とチャック１３とから構成され、背面(後面)部が伸縮性網状織物地４，４’で構成され、上段背面の腰部に左右伸縮性網地を縫いつけた外面にスポンジ５’，６，６’をかぶせた伸縮網地７，７’をバンドにして両端に接着テープ８，８’を縫着したパンツにおいて、背面と側面の伸縮性網状織物地４，４’にジグザグ状に交錯するように複数の湾曲切開線１０，１０’をそれぞれ切り取って構成した骨盤側面保護板９，９’を、周囲と切開線を縫着して身体の変形と動作に応じてジグザグ切開線が開いて対応するようにし、尻骨サポーター１２，１２’が尻餅をついたとき尻骨を保護するようにパンツ両側の股の背面下部に縫着することにより構成する。【選択図】図１
2009102791.tif 000002
【特許請求の範囲】
【請求項１】
前面部が織物地と伸縮性織物地とチャックとから構成され、背面(後面)部が伸縮性網状織物地で構成され、上段背面の腰部に左右伸縮性網地を縫いつけた外面にスポンジをかぶせた伸縮網地をバンドにして両端に接着テープを縫着したパンツにおいて、
背面と側面の伸縮性網状織物地にジグザグ状に交錯するように複数の湾曲切開線をそれぞれ切り取って構成した骨盤側面保護板を、周囲と切開線を縫着して身体の変形や動作に応じてジグザグ切開線が開いて伸張するようにし、尾骨サポーターと尻骨サポーターとともに、でん部を中心に体を曲げた際に体に違和感を感じないように伸張したり、引っ張られることを特徴とする運動用パンツ型サポーター。
【請求項２】
パンツの背面部の伸縮性網状織物地の中間に尾骨サポーターと尻骨サポーターを連結するように縫いつけ、尾骨サポーターの上段連結部を上段スポンジ内部のＡ地点に縫着固定し、尻骨サポーターを下段両側の股に縫いつけ、でん部を曲げた際に尾骨サポーターが「Ｌ」の長さだけ下方に引っ張られて尾骨を覆うようにしたことを特徴とする請求項１に記載の運動用パンツ型サポーター。
【発明の詳細な説明】
【技術分野】
【０００１】
本発明は、危険で事故の恐れのあるインラインスケート、スノーボード、スキー、ローラースケートなどの運動時に着用することにより、不慮の事故の際に下半身の尾骨、尻骨、骨盤などを全体的に保護できるようにした運動用パンツ型サポーター(保護帯)に関する。
【背景技術】
【０００２】
従来は、スノーボード、インラインスケート、ローラースケート、スキーなどの各種運動時に着用するもので、運動中に倒れたり、尻餅をついたり、ぶつかったりする各種事故に備えて開発されたサポーターや保護装備としては、主に膝サポーターに限られており、大切に保護しなければならず、最も怪我の多い尻骨、尾骨、左右の骨盤などを保護する安全なサポーターや保護装備が開発されていなかった。
【０００３】
近年、特許文献１に運動用サポーターが登録されているが、この構成は着用バンドラインを基準にその下方部に左右に分離した別途のクッションポケットを左右のサイドクッションの上部に位置するように縫いつけて形成し、前記左右に分離した各クッションポケットには前記サイドクッションとは離隔し、かつ各サイドクッションと接するサブクッションを内蔵して形成したものや、前記パンツに形成されるクッションポケットの位置が身体の左右の腰部付近となるように形成してサブクッションが腰の周囲に当たるように着用点を基準に横の長手方向に長い棒形状に構成したものであり、この考案は活動的で強力かつ大きな動作を伴う運動には適さず、活動的でなく大きな動作を伴わない運動にのみ適し、特に記録に挑戦するような、運動量が大きく、活動的かつ活発な運動をする人が能力を最大限発揮するために着用する選手レベルのサポーターとしては適さない。
【０００４】
また、本発明者が前記運動用サポーターをレベルアップして先に開発した市販の運動用パンツ型サポーターがあるが、これはスノーボード、インラインスケート、ローラースケート、スキーなどの運動時の着用に適したものであるが、これは側面保護板を複数に切断して縫いつけ、尾骨サポーターを尻骨サポーターと一体に構成して上段端部にゴムひも(ゴムバンド)を腰バンド部に縫着して構成したものであり、上級運動者の使用にも適するが、自由に活動できず、安全性が多少不十分であるという欠点がある。しかし、このような本願出願人の先の開発品も模造品が氾濫しており、特許出願していない点を悪用し、人体に有害で粗悪な材質を使用して市場の価格形成を混乱させており、東南アジアから一定レベルに満たない製品が輸入されている実情である。
【０００５】
【特許文献１】韓国実用新案登録第３０７９４０号
【発明の開示】
【発明が解決しようとする課題】
【０００６】
インラインスケート、スノーボード、ローラースケート、スキーなどは運動量が大きく、多大な身体的動作や力を必要とするため、これによる負傷の恐れもあり、グローブ、膝サポーター、パンツ型サポーターなどを代表とする様々なサポーター、保護装備などが広く利用されているが、粗悪な物が輸入され、安全基準にも満たない廉価の製品が氾濫しており、運動者の安全が脅かされている現状から、早急な是正が求められている。
【課題を解決するための手段】
【０００７】
サポーターとしては、人体に接触して摩擦、圧迫しても無害な材質の選択が必須項目でなければならず、運動が過激なためにサポーター自体の運動性と汗の吸収、排出のための通気性がなければならず、衝撃吸収及び衝撃分散により人体に与える影響を最小限に抑えるものでなければならないことを鑑み、本発明は、特に関節の運動と人体の動きに応じてサポーターも人体の動きに対応し、かつ活動性と高機能性を有する運動用パンツ型サポーターを得ることを目的になされたものであり、以下に添付図面に基づいて詳細に説明する。
【発明の効果】
【０００８】
本発明は、過激な運動の一種であるスノーボード、インラインスケート、ローラースケート、スキーなどの運動時に着用するものであり、活動する際の様々な機能性条件である通気性、吸水性、衝撃分散及び吸収、汗の排出及び吸収は従来のものに比べて優れ、運動時にぶつかったり、倒れたり、尻餅をついても負傷しないように安全に保護し、尾骨、尻骨、骨盤などに無理がないように保護するとともに、運動前、運動中、運動後に体を曲げたり座ったとき、尻餅をついたりぶつかったとき、横に倒れたときなどに負傷しないように根本的に保護し、特に運動時(活動時)に骨盤側面保護板、尾骨サポーター、尻骨サポーターなどが活動に応じて開いたり引っ張られたりして適応できるように活動性を柔軟に維持し、身体を負傷から守る効果がある。
【発明を実施するための最良の形態】
【０００９】
前面部が織物地２と伸縮性織物地３とチャック１３とから構成され、背面(後面)部が伸縮性網状織物地４，４’で構成され、上段背面の腰部に左右伸縮性網地を縫いつけた外面にスポンジ５’，６，６’をかぶせた伸縮網地７，７’をバンドにして両端に接着テープ８，８’を縫着したパンツにおいて、背面と側面の伸縮性網状織物地４，４’にジグザグ状に交錯するように複数の湾曲切開線１０，１０’をそれぞれ切り取って構成した骨盤側面保護板９，９’を、周囲と切開線を縫着して身体の変形や動作に応じてジグザグ切開線が開いて対応するようにし、尾骨サポーター１１と尻骨サポーター１２，１２’を「人」の字状に分離してパンツ背面の中央に縫いつけ、上段の連結部１４の端部をバンド５の内面上段に縫着し、尻骨サポーター１２，１２’が尻餅をついたとき尻骨を保護するようにパンツ両側の股の背面下部に縫着することにより構成し、身体の動きに応じて両側面保護板９，９’は切開線１０，１０’が開いて対応するようにし、尾骨サポーター１１はでん部の屈曲時に上段の連結部１４が下方に「Ｌ」の長さだけ引っ張られて尾骨を覆うように形成されることを特徴とするものである。
【００１０】
以下、このように構成される本発明の作用を説明する。
【００１１】
図６及び図９に示すように、パンツ１型に形成して着用するものであり、前面部の織物地２は接着テープ８，８’が接着されるようにする伸縮性のない材質で、残りの前面部は伸縮性織物地３で、背面と両側面は伸縮性網状織物地４，４’でパンツ１を形成し、スポンジ５’，６，６’はバンド５と一体に縫いつけ、バンド両端には伸縮網地７，７’を連結し、パンツ１の腰部は伸縮網地で構成した。
【００１２】
また、両側面の骨盤側面保護板９，９’は、人体に無害な特殊スポンジであり、ジグザグ状に交錯するように切開線１０，１０’を切り取り、パンツ１のでん部と側面部に伸縮性織物地をかぶせて縫着する。
【００１３】
前述したように付着した骨盤側面保護板９，９’は図６の通りであり、着用後の図７は若干体を曲げた状態を示す図であり、図８は完全に体を曲げた状態を示す図であり、上体を曲げると骨盤側面保護板９，９’のジグザグに切開された切開線１０，１０’が開いて伸張するが、運動者(着用者)が上体を図８のように曲げても全く違和感なく自然に適用される。
【００１４】
図９に示すように尾骨サポーター１１が図２及び図４などの通常の位置から引っ張られると、連結部１４が「Ｌ」の長さ(間隔)だけ引っ張られて伸張し、図８に示すように上体を曲げると、自然に下方に「Ｌ」の長さだけ引っ張られて尾骨を受け止め、両側の尻骨サポーター１２，１２’は尻骨の位置にあり、尻餅をついても地面との間で尻骨や尾骨を自然に受け止める役割を果たして保護する。
【図面の簡単な説明】
【００１５】
【図１】本発明の拡大斜視図である。
【図２】本発明の背面の保護板を縫いつけた状態を示す図である。
【図３】本発明の左側面を示す図である。
【図４】本発明の体を伸ばした状態を示す背面図である。
【図５】本発明の側断面を示す図である。
【図６】本発明のパンツを着用した状態を示す背面図である。
【図７】本発明のパンツを着用して体を曲げた状態を示す背面図である。
【図８】本発明のパンツを着用して大きく体を曲げた状態を示す図である。
【図９】本発明のパンツを着用して尾骨サポーターを後方に引っ張って開いた状態を示す図である。
【図１０】本発明の尾骨サポーターが曲げられて下方に引っ張られ、尾骨を覆うように移動した状態を示す断面図である。
【符号の説明】
【００１６】
１  パンツ
２  織物地
３  伸縮性織物
４，４’  伸縮性網状織物地
５  バンド
５’，６，６’  スポンジ
７，７’  伸縮網地
８，８’  接着テープ(別名:マジックテープ（登録商標）)
９，９’  骨盤側面保護板
１０，１０’  切開線
１１  尾骨サポーター
１２，１２’  尻骨サポーター
１３  チャック
１４  尾骨サポーター連結部(伸縮性連結部)
Ａ  縫い合わせ部
Ｌ  尾骨サポーターが下方に引っ張られる距離(間隔)
【図１】
2009102791.tif 000003
【図２】
2009102791.tif 000004
【図３】
2009102791.tif 000005
【図４】
2009102791.tif 000006
【図５】
2009102791.tif 000007
【図６】
2009102791.tif 000008
【図７】
2009102791.tif 000009
【図８】
2009102791.tif 000010
【図９】
2009102791.tif 000011
【図１０】
2009102791.tif 000012